(57)【要約】      （修正有）【課題】環境汚染を生ずることなく便器内壁面の汚れを除去でき水洗便器の清掃材入り容器を提供する。【解決手段】塊状、粒状、又は粉状の水溶性非結晶体清浄剤２は、まず最初にナイロン、ＰＥ（ポリエチレン）、ＰＥＴ（ポリエチレンテレフタラート）、ＰＰ（ポリプロピレン）質の不織布、網等でできた透水性布地３に包む。そして、プラスチック製で無数の穴５が形成されている通水性容器４に入れることにより清浄剤入り容器１とする。タンク中の水と接触させた場合には、内部の水溶性非結晶体清浄剤２は、透水性布地３及び通水性容器４を介して水中に溶けだし、イオンを放出させる。  【選択図】図１
0003116601.tif 000002
【実用新案登録請求の範囲】
【請求項１】
水洗便器に水を流す為のタンク内に収容され、タンク内の水に接触することによってタンク内の水中に溶解し、水洗時に於ける便器への水の供給時に便器の内壁面や水洗用水自体を清浄する為の清浄剤に於いて、
上記清浄剤は塊状体，粒状体，粉状体の水溶性非結晶体であって、この水溶性非結晶体は通水性容器内に入れられて収容されていることを特徴とする水洗便器の清浄剤。
【請求項２】
上記水溶性非結晶体は、水溶性アモルファスの塊状体，粒状体，粉状体であって、その組成中に酸化ナトリウム（Ｎａ２Ｏ）を含み、更に酸化けい素（ＳｉＯ２），酸化アルミニウム（Ａｌ２Ｏ３），酸化ホウ素（Ｂ２Ｏ３）の１種又は２種以上を含んで成ることを特徴とする請求項１記載の水洗便器の清浄剤。
【請求項３】
上記水溶性非結晶体はホウ素（Ｂ）成分を含まない水溶性アモルファスの塊状体，粒状体，粉状体であって、その組成中に酸化けい素（ＳｉＯ２），酸化銀（Ａｇ２Ｏ）を含み、更に少なくとも酸化ナトリウム（Ｎａ２Ｏ），酸化カルシウム（Ｃａ２Ｏ），酸化カリウム（Ｋ２Ｏ）の何れか１種以上を含んで成ることを特徴とする請求項１記載の水洗便器の清浄剤。
【請求項４】
上記ホウ素（Ｂ）成分を含まない水溶性非結晶体の洗浄剤は、けい素（Ｓｉ）成分が１２〜６０％，ナトリウム（Ｎａ）成分が６〜５０％，銀（Ａｇ）成分が０．３〜１．８％より成ることを特徴とする請求項３記載の水洗便器の清浄剤。
【請求項５】
上記ホウ素（Ｂ）成分を含まない水溶性非結晶体の洗浄剤は、けい素（Ｓｉ）成分が１２〜６０％，カルシウム（Ｃａ）成分が６〜５０％，銀（Ａｇ）成分が０．３〜１．８％より成ることを特徴とする請求項３記載の水洗便器の清浄剤。
【請求項６】
上記ホウ素（Ｂ）成分を含まない水溶性非結晶体の洗浄剤は、けい素（Ｓｉ）成分が１２〜６０％，カリウム（Ｋ）成分が６〜５０％，銀（Ａｇ）成分が０．３〜１．８％より成ることを特徴とする請求項３記載の水洗便器の清浄剤。
【考案の詳細な説明】
【技術分野】
【０００１】
本考案は水洗便器の清浄剤に関する。
【背景技術】
【０００２】
周知の通り、家庭、オフィス、事務所、工場、その他公共場所での便器は、大便用便器小便用便器を問わず、水洗式とはいえ、使用経緯に伴い便器の内壁面にスケールや水アカが付着してくるもので、外観上は黄ばんだり、うす黒くなったりしてしまうものである。
【０００３】
そこでこのような不具合を防止する為に、以前は定期的に柄の先にたわしの如きものを取付けた清掃用具を用いて便器の内壁面を洗浄し、物理的（機械力や流水力）にスケールや水アカを落とすようにしていた。そして次第に洗浄剤として界面活性剤系のものを併用するようになった。
【考案の開示】
【考案が解決しようとする課題】
【０００４】
この界面活性剤は、その成分中の親水性と親油性の両親媒性をもつ有機物質によって便器内壁面の表面を活性化し、内壁面に付着しているスケールや水アカを除去せんとするものであるが、便器内壁面の上記汚れは強く付着しているのが実情なので、除去が不完全となりがちであった。
又、界面活性剤の使用は、環境の汚濁、具体的には生物分解性や水の富栄養化をもたらすものであった。
【０００５】
従って本考案の目的とするところは、上記従来技術の有する問題点を解決すること、即ち便器の内壁面へスケールや水アカが付着しにくくすることによって便器内壁面の清浄を図る為の清浄剤を提供すること、及び既に便器内壁面に付着してしまっているスケールや水アカを軟化・剥離させることに勝れている清浄剤を提供すること、特に環境汚染を生ずることなく便器内壁面の汚れを除去することのできる清浄剤を提供するにある。
【課題を解決するための手段】
【０００６】
上記目的を達成する為に本考案は次の技術的手段を有する。
即ち、本考案は水洗便器に水を流す為のタンク内に収容され、タンク内の水に接触することによってタンク内の水中に溶解し、水洗時に於ける便器への水の供給時に便器の内壁面や水洗用水自体を清浄する為の清浄剤に於いて、
上記清浄剤は塊状体，粒状体，粉状体の水溶性非結晶体であって、この水溶性非結晶体は通水性容器内に入れられて収容されている水洗便器の清浄剤である。
【０００７】
上記の水溶性非結晶体の１つは、水溶性アモルファスの塊状体，粒状体，粉状体であって、その組成中に酸化ナトリウム（Ｎａ２Ｏ）を含み、更に酸化けい素（ＳｉＯ２），酸化アルミニウム（Ａｌ２Ｏ３），酸化ホウ素（Ｂ２Ｏ３）の１種又は２種以上を含んで成ることを特徴とする水洗便器の清浄剤である。
【０００８】
もう１つの水溶性非結晶体は、ホウ素（Ｂ）成分を含まない水溶性アモルファスの塊状体，粒状体，粉状体であって、その組成中に酸化けい素（ＳｉＯ２），酸化銀（Ａｇ２Ｏ）を含み、更に少なくとも酸化ナトリウム（Ｎａ２Ｏ），酸化カルシウム（Ｃａ２Ｏ），酸化カリウム（Ｋ２Ｏ）の何れか１種以上を含んで成るものである。
【０００９】
そして上記ホウ素（Ｂ）成分を含まない水溶性非結晶体の洗浄剤は、けい素（Ｓｉ）成分が１２〜６０％，ナトリウム（Ｎａ）成分が６〜５０％，銀（Ａｇ）成分が０．３〜１．８％より成るものとすることができ、又上記ホウ素（Ｂ）成分を含まない水溶性非結晶体の洗浄剤は、けい素（Ｓｉ）成分が１２〜６０％，カルシウム（Ｃａ）成分が６〜５０％，銀（Ａｇ）成分が０．３〜１．８％より成ることとすることもでき、更に上記ホウ素（Ｂ）成分を含まない水溶性非結晶体の洗浄剤は、けい素（Ｓｉ）成分が１２〜６０％，カリウム（Ｋ）成分が６〜５０％，銀（Ａｇ）成分が０．３〜１．８％より成ることとすることもできる。
【００１０】
本考案は上記技術的手段より成るので、便器に水を供給するタンク（ロータンク，ハイタンク等）内に、塊状又は粒状、あるいは粒状の水溶性非結晶体を通水性容器に収容した状態で浸漬しておく。これによりタンク内の水中に水溶性非結晶体が溶解していくから、水洗時のタンク内の水の放出により水と共に水中溶解の水溶性非結晶体成分が便器内壁面に作用する。
【００１１】
この水溶性非結晶体成分は、スケールや水アカの付着を事前に防止すると共に、
既に付着しているスケール，水アカの軟化，剥離を促進し、便器の内壁面の汚れを取る。而も水溶性非結晶体は、水を汚染することがないから、環境にもよい。
【００１２】
そして組成中にナトリウム（Ｎａ），けい素（Ｓｉ），アルミニウム（Ａ１），ホウ素（Ｂ）を含む水溶性アモルファスの塊状体，粒状体，粉状体と共に、ナトリウムイオン，けい素イオン，アルミニウムイオン，ホウ素イオンをタンクの水中に序々に溶解させることによって便器内周壁の清浄を行うものであり、この時、上記ナトリウムイオンが水と反応して水酸化ナトリウムになり、この水酸化ナトリウムはスケール成分のけい素を溶解するので、便器内周壁のスケール，水アカの発生を事前に防止すると同時に、既に便器内周壁に付着しているスケール，水アカを軟化・剥離させる。そして、けい素を含むけい酸により水溶液アモルファスの形にしてあるので、即ち無機成分により非結晶体のかたちにしてあるので、タンクから流れる季節ごとの水温の温度に左右されることなく安定して上記スケール，水アカの発生防止，軟化・剥離が実施される。更にアルミニウムを含むので、上記安定性がより増す。加えて、上述したように水中に溶出したナトリウムが、水と反応して水酸化ナトリウムになり、この水酸化ナトリウムが生成された時に、金属がアルカリ腐食する場合があるが、ホウ素を含むので腐食が防止される。
【００１３】
又組成中に少なくともナトリウム（Ｎａ），カルシウム（Ｃａ），カリウム（Ｋａ）の何れかの一つとけい素（Ｓｉ），銀（Ａｇ）を含む水溶性アモルファスの塊状体，粒状体，粉状体と共に、ナトリウムイオン，又はカリウムイオンあるいはカルシウムイオンとけい素イオン，銀イオンを水中に序々に溶解させることによって便器内周壁の清浄を行うものであり、この時、上記ナトリウムイオン、又はカリウムイオンあるいはカルシウムイオンが水と反応して水酸化ナトリウム、又は水酸化カリウム、あるいは水酸化カルシウムになり、これはスケール成分のけい素を溶解するので、便器内周壁でのスケールや水アカの発生を事前に防止すると同時に、既に付着しているスケールや水アカを軟化・剥離させる。そして、けい素を含むけい酸により水溶性アモルファスの形にしてあるので、即ち無機成分により非結晶体のかたちにしてあるので、水の温度に左右されることなく安定して上記スケール，水アカの発生防止，軟化・剥離が実施される。
【考案の効果】
【００１４】
この考案によれば便器の内壁面へスケールや水アカが付着しにくくなるので、便器内壁面の清浄を図れる。又既に便器内壁面に付着してしまっているスケールや水アカを軟化・剥離できる。特に環境汚染を生ずることなく便器内壁面の汚れを除去できる。
【考案を実施するための最良の形態】
【００１５】
次に本考案の実施例を示す。
図１，図２は各々清浄剤入り容器１の例を示したものである。これらの形状は、タンク内に吊下げたり、タンクの底に置いたり、タンクの壁面に取り付けたり、タンクの水受け部に置いたり等適宣な取り付け態様が考えられるので、それらに応じた形状とすることができるし、外的意匠性を自由に付加できる。そしてその大きさ、容積とタンク内に収容するに好適なものとすることができる。
【００１６】
そして、塊状，粒状，又は粉状の水溶性非結晶体清浄剤２は、まず最初に、ナイロン、ＰＥ（ポリエチレン）、ＰＥＴ（ポリエチレンテレフタラート）、ＰＰ（ポリプロピレン）質の不織布、網等でできた透水性布地３に包む。そして、上記透水性布地３に包まれた水溶性非結晶体清浄剤２をプラスチック製で無数の穴５が形成されている通水性容器４に入れることにより清浄剤入り容器１とする。
このようにした場合、タンク中の水と接触させた場合には、内部の水溶性非結晶体清浄剤２は、上記透水性布地３及び通水性容器４を介して水中に溶けだし、イオンを放出させるものである。更に、水溶性非結晶体清浄剤２が、上記水中に溶け出すことにより徐々に小さくなった場合であっても、上記水溶性非結晶体清浄剤２は上記透水性布地３に包まれていることにより上記通水性容器４から小塊のまま流出する恐れがないものである。
【００１７】
図３〜図５は、洗浄すべき便器及びタンクの例を示したもので、図３の場合、大便器６のロータンク７内に、清浄剤入り容器１を、ひも８で吊るして常時ロータンク７内の水中に清浄剤２を浸漬した例であり、図４は大便器６のロータンクの水受け部９に清浄剤入り容器１を置き、水の供給の都度清浄剤２を水に接触させるようにした例であり、図５は小便器６の供給水タンクであるハイタンク１０内に清浄剤入り容器１を収容した例である。
これらは、便器の水洗時に水を供給する態様に応じて適宣な形とすることができる。要するに水洗水中に水溶性非結晶体成分が溶解する態様であればよく便器とタンクの間の配管中に清浄剤入り容器を置いてもよい。
【００１８】
次に本考案の清浄剤の一例は、水溶性アモルファスの塊状体であって、その組成中に酸化ナトリウム（Ｎａ２Ｏ）、酸化けい素（ＳｉＯ２），酸化アルミニウム（Ａｌ２Ｏ３），酸化ホウ素（Ｂ２Ｏ３）を含んで成るものであり、この水溶性アモルファスの塊状体，図３のタンク７の水中に投入した際に、水溶性アモルファスの塊状体，粒状体，粉状体が序々に溶解すると共に、ナトリウムイオン，けい素イオン，アルミニウムイオン，ホウ素イオンが序々に溶出した。所で、この清浄剤の元素成分はナトリウム８％，けい素１５％、ホウ素１６％であった。勿論ナトリウム７％〜１３．５％，けい素１１％〜１８％，ホウ素１４．３％〜１７．２％の範囲で用いることができた。勿論水溶性アモルファスは粒状体や粉状体でもよい。
【００１９】
さらに、上記容器１に収容される清浄剤２は、水への溶解量が、水洗時、便器へ流れる水の流量の０．００２５％〜０．００３％となるようにその量を調整することが好ましいものであり、清浄剤２の効果を最大限に引き出すことができるものであった。
【００２０】
そして、水溶性アモルファスの塊状体，又は粒状体，あるいは粉状体よりなる清浄剤２がタンク７の水中に序々に溶解していったことにより、水溶性アモルファスの塊状体，粒状体，粉状体に含まれているナトリウムイオン，けい素イオン，アルミニウムイオン，ホウ素イオンがタンク７の水中に序々に溶解していくこととなり、この内ナトリウムイオンの働きによって、便器内壁面でのスケールや水アカの発生が事前に防止されたと同時に、既に内壁面に付着しているスケールや水アカが軟化・剥離された。
【００２１】
次に、タンク内の水に溶解した清浄剤２による便器６の内壁面でのナトリウムイオンによるスケールの除去のメカニズムについて説明する。
先ず、内壁面とスケールは、主にけい素（Ｓｉ），カルシウム（Ｃａ），マグネシウム（Ｍｇ），鉄（Ｆｅ）等の元素から成り立っている。
他方、水溶性アモルファスの塊状体，粒状体、粉状体が水洗水に溶解することによって、水中に溶出したナトリウム（Ｎａ）が、水と反応して水酸化ナトリウム（２ＮａＯＨ）になり、この水酸化ナトリウムは、スケール成分のけい素（Ｓｉ）を溶解させる。そして、スケール成分の内のバインダーであるけい素（Ｓｉ）が溶解して水に溶け出してしまうため、この他のスケール成分である、カルシウム（Ｃａ），マグネシウム（Ｍｇ）等も一緒に水の中に脱落する。この時カルシウム（Ｃａ）やマグネシウム（Ｍｇ）等は水酸化ナトリウムによって溶解しないが、細かい結晶物のまま脱落して行く。従って、便器内周壁に生成したスケールが徐々に除去されるものである。
【００２２】
そしてこの清浄剤２は、全て無機の成分だけで出来ており、温度に左右されず安定して長時間水に溶解させる方法としてけい酸を利用してアモルファス（非結晶体）のかたちにしたものなので、季節変化の温度に左右されずに安定して使用できる。且つ、アルミニウム（水酸化物）が入っているので、更に安定して溶解する（けい酸アルミニウム）。加えてホウ素（Ｂ）を入れないでも上述したようにスケールの除去ができるが、水酸化ナトリウムが生成された時に、配管金属がアルカリ腐食する場合がある。これを防ぐために、ホウ素（Ｂ）を入れることによって腐食を防止する。即ち、ホウ素イオンは配管の金属内面にホウ素イオンの膜を形成することによって、腐食から金属を守る。
【００２３】
所で以上は、既に便器内周壁に付着したスケールの除去について述べたものであるが、水と反応してできた水酸化ナトリウムは、水に含まれるスケール成分に対して以下の様な反応を起こし新たなスケールの生成を防止する。即ち水に含まれるスケール成分は主としてカルシウム，マグネシウム等の元素から成り立っている。これらの無機元素は炭酸や水素等に結合した状態で水に溶けている。水酸化ナトリウムは水の中のカルシウムやマグネシウムに反応すると、凝集させてしまう為、便器内周壁にスケールを生成させず、凝集した後にコロイド状になって最後はスラッジになり排出してしまう。
【００２４】
次に、もう一つの実施例を示す。これはホウ素（Ｂ）成分を含まない水溶性アモルファスの塊状体，又は粒状体，あるいは粉状体であって、その組成中に酸化けい素（ＳｉＯ２），酸化銀（Ａｇ２Ｏ）を含み、更に少なくとも酸化ナトリウム（Ｎａ２Ｏ），酸化カルシウム（Ｃａ２Ｏ），酸化カリウム（Ｋ２Ｏ）の何れか１種以上を含んで成るものを用いた。
【００２５】
この中の一つの例は、上記ホウ素（Ｂ）成分を含まない水溶性非結晶体の洗浄剤は、けい素（Ｓｉ）成分が４０％，ナトリウム（Ｎａ）成分が３０％，銀（Ａｇ）成分が１％より成るものとした。又上記ホウ素（Ｂ）成分を含まない水溶性非結晶体の洗浄剤は、けい素（Ｓｉ）成分が３５％，カルシウム（Ｃａ）成分が２７％，銀（Ａｇ）成分が１．１％より成るものとした。更に、上記ホウ素（Ｂ）成分を含まない水溶性非結晶体の清浄剤は、けい素（Ｓｉ）成分が２８％、カリウム（Ｋ）成分が１９％，銀（Ａｇ）成分が１．７％より成るものとした。
【００２６】
この清浄剤の場合でも、組成中に少なくともナトリウム（Ｎａ）カルシウム（Ｃａ），カリウム（Ｋａ）の何れか一つとけい素（Ｓｉ），銀（Ａｇ）を含む水溶性アモルファスの塊状体，粒状体，粉状体と共に、ナトリウムイオン、又はカリウムイオン，あるいはカルシウムイオンと，けい素イオン，銀イオンを水中に序々に溶解させることによって便器内周壁の清浄を行うことができた。且つ、上記ナトリウムイオン、又はカリウムイオンあるいはカルシウムイオンが水と反応して水酸化ナトリウム、又は水酸化カリウムあるいは、水酸化カルシウムになり、これはスケール成分のけい素を溶解するので、便器内周壁でのスケールや水アカの発生を事前に防止すると同時に、既に付着しているスケールや水アカを軟化・剥離させた。そして、けい素を含むけい酸により水溶性アモルファスの形にしてあるので、即ち無機成分により非結晶体のかたちにしてあるので、水の温度に左右されることなく安定して上記スケール，水アカの発生防止，軟化・剥離された。
【００２７】
上記に示した他に、上記ホウ素（Ｂ）成分を含まない水溶性非結晶体の洗浄剤は、けい素（Ｓｉ）成分が１２〜６０％，ナトリウム（Ｎａ）成分が６〜５０％，銀（Ａｇ）成分が０．３〜１．８％より成るものとすることができ、又上記ホウ素（Ｂ）成分を含まない水溶性非結晶体の洗浄剤は、けい素（Ｓｉ）成分が１２〜６０％，カルシウム（Ｃａ）成分が６〜５０％，銀（Ａｇ）成分が０．３〜１．８％より成ることとすることもでき、更に上記ホウ素（Ｂ）成分を含まない水溶性非結晶体の清浄剤は、けい素（Ｓｉ）成分が１２〜６０％，カリウム（Ｋ）成分が６〜５０％，銀（Ａｇ）成分が０．３〜１．８％より成ることとすることもできる。
【図面の簡単な説明】
【００２８】
【図１】本考案の清浄剤入り容器の一例を示す断面を含む斜視図である。
【図２】本考案の清浄剤入り容器の他例を示す側面図である。
【図３】本考案の清浄される便器の一例を示す一部断面を含む側面図である。
【図４】本考案の清浄される便器の他例を示す一部断面を含む図である。
【図５】本考案の清浄される便器の更にもう一つの例を示す一部断面を含む図である。
【図１】
0003116601.tif 000003
【図２】
0003116601.tif 000004
【図３】
0003116601.tif 000005
【図４】
0003116601.tif 000006
【図５】
0003116601.tif 000007
【手続補正書】
【提出日】平成17年9月2日(2005.9.2)
【手続補正１】
【補正対象書類名】実用新案登録請求の範囲
【補正対象項目名】全文
【補正方法】変更
【補正の内容】
【実用新案登録請求の範囲】
【請求項１】
水洗便器に水を流す為のタンク内に収容され、タンク内の水に接触することによってタンク内の水中に溶解し、水洗時に於ける便器への水の供給時に便器の内壁面や水洗用水自体を清浄する為の清浄剤を収容する容器に於いて、
上記清浄剤は塊状体，粒状体，粉状体の水溶性非結晶体であって、この水溶性非結晶体を、透水性布地に包み、この通水性布地に包まれた水溶性非結晶体清浄剤を無数の穴が形成されている通水性容器に入れ、水溶性非結晶体清浄剤が小塊のまま外部へ流出しないようにした水洗便器の清浄剤入り容器。
【請求項２】
上記水溶性非結晶体は、水溶性アモルファスの塊状体，粒状体，粉状体であって、その組成中に酸化ナトリウム（Ｎａ２Ｏ）を含み、更に酸化けい素（ＳｉＯ２），酸化アルミニウム（Ａｌ２Ｏ３），酸化ホウ素（Ｂ２Ｏ３）の１種又は２種以上を含んで成ることを特徴とする請求項１記載の水洗便器の清浄剤入り容器。
【請求項３】
上記水溶性非結晶体はホウ素（Ｂ）成分を含まない水溶性アモルファスの塊状体，粒状体，粉状体であって、その組成中に酸化けい素（ＳｉＯ２），酸化銀（Ａｇ２Ｏ）を含み、更に少なくとも酸化ナトリウム（Ｎａ２Ｏ），酸化カルシウム（Ｃａ２Ｏ），酸化カリウム（Ｋ２Ｏ）の何れか１種以上を含んで成ることを特徴とする請求項１記載の水洗便器の清浄剤入り容器。
【請求項４】
上記ホウ素（Ｂ）成分を含まない水溶性非結晶体の洗浄剤は、けい素（Ｓｉ）成分が１２〜６０％，ナトリウム（Ｎａ）成分が６〜５０％，銀（Ａｇ）成分が０．３〜１．８％より成ることを特徴とする請求項３記載の水洗便器の清浄剤入り容器。
【請求項５】
上記ホウ素（Ｂ）成分を含まない水溶性非結晶体の洗浄剤は、けい素（Ｓｉ）成分が１２〜６０％，カルシウム（Ｃａ）成分が６〜５０％，銀（Ａｇ）成分が０．３〜１．８％より成ることを特徴とする請求項３記載の水洗便器の清浄剤入り容器。
【請求項６】
上記ホウ素（Ｂ）成分を含まない水溶性非結晶体の洗浄剤は、けい素（Ｓｉ）成分が１２〜６０％，カリウム（Ｋ）成分が６〜５０％，銀（Ａｇ）成分が０．３〜１．８％より成ることを特徴とする請求項３記載の水洗便器の清浄剤入り容器。
【手続補正２】
【補正対象書類名】明細書
【補正対象項目名】全文
【補正方法】変更
【補正の内容】
【考案の詳細な説明】
【技術分野】
【０００１】
本考案は水洗便器の清浄剤入り容器に関する。
【背景技術】
【０００２】
周知の通り、家庭、オフィス、事務所、工場、その他公共場所での便器は、大便用便器小便用便器を問わず、水洗式とはいえ、使用経緯に伴い便器の内壁面にスケールや水アカが付着してくるもので、外観上は黄ばんだり、うす黒くなったりしてしまうものである。
【０００３】
そこでこのような不具合を防止する為に、以前は定期的に柄の先にたわしの如きものを取付けた清掃用具を用いて便器の内壁面を洗浄し、物理的（機械力や流水力）にスケールや水アカを落とすようにしていた。そして次第に洗浄剤として界面活性剤系のものを併用するようになった。
【考案の開示】
【考案が解決しようとする課題】
【０００４】
この界面活性剤は、その成分中の親水性と親油性の両親媒性をもつ有機物質によって便器内壁面の表面を活性化し、内壁面に付着しているスケールや水アカを除去せんとするものであるが、便器内壁面の上記汚れは強く付着しているのが実情なので、除去が不完全となりがちであった。
又、界面活性剤の使用は、環境の汚濁、具体的には生物分解性や水の富栄養化をもたらすものであった。
【０００５】
従って本考案の目的とするところは、上記従来技術の有する問題点を解決すること、即ち便器の内壁面へスケールや水アカが付着しにくくすることによって便器内壁面の清浄を図る為の清浄剤を提供すること、及び既に便器内壁面に付着してしまっているスケールや水アカを軟化・剥離させることに勝れている清浄剤を提供すること、特に環境汚染を生ずることなく便器内壁面の汚れを除去することのできる清浄剤を提供するにある。
【課題を解決するための手段】
【０００６】
上記目的を達成する為に本考案は次の技術的手段を有する。
即ち、本考案は水洗便器に水を流す為のタンク内に収容され、タンク内の水に接触することによってタンク内の水中に溶解し、水洗時に於ける便器への水の供給時に便器の内壁面や水洗用水自体を清浄する為の清浄剤を収容する容器に於いて、
上記清浄剤は塊状体，粒状体，粉状体の水溶性非結晶体であって、この水溶性非結晶体を水洗便器に水を流す為のタンク内に収容され、タンク内の水に接触することによってタンク内の水中に溶解し、水洗時に於ける便器への水の供給時に便器の内壁面や水洗用水自体を清浄する為の清浄剤を収容する容器に於いて、
上記清浄剤は塊状体，粒状体，粉状体の水溶性非結晶体であって、この水溶性非結晶体を、透水性布地に包み、この通水性布地に包まれた水溶性非結晶体清浄剤を無数の穴が形成されている通水性容器に入れ、水溶性非結晶体清浄剤が小塊のまま外部へ流出しないようにした水洗便器の清浄剤入り容器である。
【０００７】
上記の水溶性非結晶体の１つは、水溶性アモルファスの塊状体，粒状体，粉状体であって、その組成中に酸化ナトリウム（Ｎａ２Ｏ）を含み、更に酸化けい素（ＳｉＯ２），酸化アルミニウム（Ａｌ２Ｏ３），酸化ホウ素（Ｂ２Ｏ３）の１種又は２種以上を含んで成ることを特徴とする水洗便器の清浄剤入り容器である。
【０００８】
もう１つの水溶性非結晶体は、ホウ素（Ｂ）成分を含まない水溶性アモルファスの塊状体，粒状体，粉状体であって、その組成中に酸化けい素（ＳｉＯ２），酸化銀（Ａｇ２Ｏ）を含み、更に少なくとも酸化ナトリウム（Ｎａ２Ｏ），酸化カルシウム（Ｃａ２Ｏ），酸化カリウム（Ｋ２Ｏ）の何れか１種以上を含んで成るものである。
【０００９】
そして上記ホウ素（Ｂ）成分を含まない水溶性非結晶体の洗浄剤は、けい素（Ｓｉ）成分が１２〜６０％，ナトリウム（Ｎａ）成分が６〜５０％，銀（Ａｇ）成分が０．３〜１．８％より成るものとすることができ、又上記ホウ素（Ｂ）成分を含まない水溶性非結晶体の洗浄剤は、けい素（Ｓｉ）成分が１２〜６０％，カルシウム（Ｃａ）成分が６〜５０％，銀（Ａｇ）成分が０．３〜１．８％より成ることとすることもでき、更に上記ホウ素（Ｂ）成分を含まない水溶性非結晶体の洗浄剤は、けい素（Ｓｉ）成分が１２〜６０％，カリウム（Ｋ）成分が６〜５０％，銀（Ａｇ）成分が０．３〜１．８％より成ることとすることもできる。
【００１０】
本考案は上記技術的手段より成るので、便器に水を供給するタンク（ロータンク，ハイタンク等）内に、塊状又は粒状、あるいは粒状の水溶性非結晶体を通水性容器に収容した状態で浸漬しておく。これによりタンク内の水中に水溶性非結晶体が溶解していくから、水洗時のタンク内の水の放出により水と共に水中溶解の水溶性非結晶体成分が便器内壁面に作用する。
【００１１】
この水溶性非結晶体成分は、スケールや水アカの付着を事前に防止すると共に、
既に付着しているスケール，水アカの軟化，剥離を促進し、便器の内壁面の汚れを取る。而も水溶性非結晶体は、水を汚染することがないから、環境にもよい。特に小塊状のまま容器の外へ流出しない。
【００１２】
そして組成中にナトリウム（Ｎａ），けい素（Ｓｉ），アルミニウム（Ａ１），ホウ素（Ｂ）を含む水溶性アモルファスの塊状体，粒状体，粉状体と共に、ナトリウムイオン，けい素イオン，アルミニウムイオン，ホウ素イオンをタンクの水中に序々に溶解させることによって便器内周壁の清浄を行うものであり、この時、上記ナトリウムイオンが水と反応して水酸化ナトリウムになり、この水酸化ナトリウムはスケール成分のけい素を溶解するので、便器内周壁のスケール，水アカの発生を事前に防止すると同時に、既に便器内周壁に付着しているスケール，水アカを軟化・剥離させる。そして、けい素を含むけい酸により水溶液アモルファスの形にしてあるので、即ち無機成分により非結晶体のかたちにしてあるので、タンクから流れる季節ごとの水温の温度に左右されることなく安定して上記スケール，水アカの発生防止，軟化・剥離が実施される。更にアルミニウムを含むので、上記安定性がより増す。加えて、上述したように水中に溶出したナトリウムが、水と反応して水酸化ナトリウムになり、この水酸化ナトリウムが生成された時に、金属がアルカリ腐食する場合があるが、ホウ素を含むので腐食が防止される。
【００１３】
又組成中に少なくともナトリウム（Ｎａ），カルシウム（Ｃａ），カリウム（Ｋａ）の何れかの一つとけい素（Ｓｉ），銀（Ａｇ）を含む水溶性アモルファスの塊状体，粒状体，粉状体と共に、ナトリウムイオン，又はカリウムイオンあるいはカルシウムイオンとけい素イオン，銀イオンを水中に序々に溶解させることによって便器内周壁の清浄を行うものであり、この時、上記ナトリウムイオン、又はカリウムイオンあるいはカルシウムイオンが水と反応して水酸化ナトリウム、又は水酸化カリウム、あるいは水酸化カルシウムになり、これはスケール成分のけい素を溶解するので、便器内周壁でのスケールや水アカの発生を事前に防止すると同時に、既に付着しているスケールや水アカを軟化・剥離させる。そして、けい素を含むけい酸により水溶性アモルファスの形にしてあるので、即ち無機成分により非結晶体のかたちにしてあるので、水の温度に左右されることなく安定して上記スケール，水アカの発生防止，軟化・剥離が実施される。
【考案の効果】
【００１４】
この考案によれば水溶性非結晶体が小塊状のまま容器の外へ流出しない。このことにより、便器の内壁面へスケールや水アカが付着しにくくなるので、便器内壁面の清浄を図れる。又既に便器内壁面に付着してしまっているスケールや水アカを軟化・剥離できる。特に環境汚染を生ずることなく便器内壁面の汚れを除去できる。
【考案を実施するための最良の形態】
【００１５】
次に本考案の実施例を示す。
図１，図２は各々清浄剤入り容器１の例を示したものである。これらの形状は、タンク内に吊下げたり、タンクの底に置いたり、タンクの壁面に取り付けたり、タンクの水受け部に置いたり等適宣な取り付け態様が考えられるので、それらに応じた形状とすることができるし、外的意匠性を自由に付加できる。そしてその大きさ、容積とタンク内に収容するに好適なものとすることができる。
【００１６】
そして、塊状，粒状，又は粉状の水溶性非結晶体清浄剤２は、このままであると、小塊状のまま外部へ流出してしまうので、まず最初に、ナイロン、ＰＥ（ポリエチレン）、ＰＥＴ（ポリエチレンテレフタラート）、ＰＰ（ポリプロピレン）質の不織布、網等でできた透水性布地３に包む。そして、上記透水性布地３に包まれた水溶性非結晶体清浄剤２をプラスチック製で無数の穴５が形成されている通水性容器４に入れることにより清浄剤入り容器１とする。
このようにした場合、タンク中の水と接触させた場合には、内部の水溶性非結晶体清浄剤２は、上記透水性布地３及び通水性容器４を介して水中に溶けだし、イオンを放出させるものである。更に、水溶性非結晶体清浄剤２が、上記水中に溶け出すことにより徐々に小さくなった場合であっても、上記水溶性非結晶体清浄剤２は上記透水性布地３に包まれていることにより上記通水性容器４から小塊のまま流出する恐れがないものである。
【００１７】
図３〜図５は、洗浄すべき便器及びタンクの例を示したもので、図３の場合、大便器６のロータンク７内に、清浄剤入り容器１を、ひも８で吊るして常時ロータンク７内の水中に清浄剤２を浸漬した例であり、図４は大便器６のロータンクの水受け部９に清浄剤入り容器１を置き、水の供給の都度清浄剤２を水に接触させるようにした例であり、図５は小便器６の供給水タンクであるハイタンク１０内に清浄剤入り容器１を収容した例である。
これらは、便器の水洗時に水を供給する態様に応じて適宣な形とすることができる。要するに水洗水中に水溶性非結晶体成分が溶解する態様であればよく便器とタンクの間の配管中に清浄剤入り容器を置いてもよい。
【００１８】
次に本考案の清浄剤の一例は、水溶性アモルファスの塊状体であって、その組成中に酸化ナトリウム（Ｎａ２Ｏ）、酸化けい素（ＳｉＯ２），酸化アルミニウム（Ａｌ２Ｏ３），酸化ホウ素（Ｂ２Ｏ３）を含んで成るものであり、この水溶性アモルファスの塊状体，図３のタンク７の水中に投入した際に、水溶性アモルファスの塊状体，粒状体，粉状体が序々に溶解すると共に、ナトリウムイオン，けい素イオン，アルミニウムイオン，ホウ素イオンが序々に溶出した。所で、この清浄剤の元素成分はナトリウム８％，けい素１５％、ホウ素１６％であった。勿論ナトリウム７％〜１３．５％，けい素１１％〜１８％，ホウ素１４．３％〜１７．２％の範囲で用いることができた。勿論水溶性アモルファスは粒状体や粉状体でもよい。
【００１９】
さらに、上記容器１に収容される清浄剤２は、水への溶解量が、水洗時、便器へ流れる水の流量の０．００２５％〜０．００３％となるようにその量を調整することが好ましいものであり、清浄剤２の効果を最大限に引き出すことができるものであった。
【００２０】
そして、水溶性アモルファスの塊状体，又は粒状体，あるいは粉状体よりなる清浄剤２がタンク７の水中に序々に溶解していったことにより、水溶性アモルファスの塊状体，粒状体，粉状体に含まれているナトリウムイオン，けい素イオン，アルミニウムイオン，ホウ素イオンがタンク７の水中に序々に溶解していくこととなり、この内ナトリウムイオンの働きによって、便器内壁面でのスケールや水アカの発生が事前に防止されたと同時に、既に内壁面に付着しているスケールや水アカが軟化・剥離された。
【００２１】
次に、タンク内の水に溶解した清浄剤２による便器６の内壁面でのナトリウムイオンによるスケールの除去のメカニズムについて説明する。
先ず、内壁面とスケールは、主にけい素（Ｓｉ），カルシウム（Ｃａ），マグネシウム（Ｍｇ），鉄（Ｆｅ）等の元素から成り立っている。
他方、水溶性アモルファスの塊状体，粒状体、粉状体が水洗水に溶解することによって、水中に溶出したナトリウム（Ｎａ）が、水と反応して水酸化ナトリウム（２ＮａＯＨ）になり、この水酸化ナトリウムは、スケール成分のけい素（Ｓｉ）を溶解させる。そして、スケール成分の内のバインダーであるけい素（Ｓｉ）が溶解して水に溶け出してしまうため、この他のスケール成分である、カルシウム（Ｃａ），マグネシウム（Ｍｇ）等も一緒に水の中に脱落する。この時カルシウム（Ｃａ）やマグネシウム（Ｍｇ）等は水酸化ナトリウムによって溶解しないが、細かい結晶物のまま脱落して行く。従って、便器内周壁に生成したスケールが徐々に除去されるものである。
【００２２】
そしてこの清浄剤２は、全て無機の成分だけで出来ており、温度に左右されず安定して長時間水に溶解させる方法としてけい酸を利用してアモルファス（非結晶体）のかたちにしたものなので、季節変化の温度に左右されずに安定して使用できる。且つ、アルミニウム（水酸化物）が入っているので、更に安定して溶解する（けい酸アルミニウム）。加えてホウ素（Ｂ）を入れないでも上述したようにスケールの除去ができるが、水酸化ナトリウムが生成された時に、配管金属がアルカリ腐食する場合がある。これを防ぐために、ホウ素（Ｂ）を入れることによって腐食を防止する。即ち、ホウ素イオンは配管の金属内面にホウ素イオンの膜を形成することによって、腐食から金属を守る。
【００２３】
所で以上は、既に便器内周壁に付着したスケールの除去について述べたものであるが、水と反応してできた水酸化ナトリウムは、水に含まれるスケール成分に対して以下の様な反応を起こし新たなスケールの生成を防止する。即ち水に含まれるスケール成分は主としてカルシウム，マグネシウム等の元素から成り立っている。これらの無機元素は炭酸や水素等に結合した状態で水に溶けている。水酸化ナトリウムは水の中のカルシウムやマグネシウムに反応すると、凝集させてしまう為、便器内周壁にスケールを生成させず、凝集した後にコロイド状になって最後はスラッジになり排出してしまう。
【００２４】
次に、もう一つの実施例を示す。これはホウ素（Ｂ）成分を含まない水溶性アモルファスの塊状体，又は粒状体，あるいは粉状体であって、その組成中に酸化けい素（ＳｉＯ２），酸化銀（Ａｇ２Ｏ）を含み、更に少なくとも酸化ナトリウム（Ｎａ２Ｏ），酸化カルシウム（Ｃａ２Ｏ），酸化カリウム（Ｋ２Ｏ）の何れか１種以上を含んで成るものを用いた。
【００２５】
この中の一つの例は、上記ホウ素（Ｂ）成分を含まない水溶性非結晶体の洗浄剤は、けい素（Ｓｉ）成分が４０％，ナトリウム（Ｎａ）成分が３０％，銀（Ａｇ）成分が１％より成るものとした。又上記ホウ素（Ｂ）成分を含まない水溶性非結晶体の洗浄剤は、けい素（Ｓｉ）成分が３５％，カルシウム（Ｃａ）成分が２７％，銀（Ａｇ）成分が１．１％より成るものとした。更に、上記ホウ素（Ｂ）成分を含まない水溶性非結晶体の清浄剤は、けい素（Ｓｉ）成分が２８％、カリウム（Ｋ）成分が１９％，銀（Ａｇ）成分が１．７％より成るものとした。
【００２６】
この清浄剤の場合でも、組成中に少なくともナトリウム（Ｎａ）カルシウム（Ｃａ），カリウム（Ｋａ）の何れか一つとけい素（Ｓｉ），銀（Ａｇ）を含む水溶性アモルファスの塊状体，粒状体，粉状体と共に、ナトリウムイオン、又はカリウムイオン，あるいはカルシウムイオンと，けい素イオン，銀イオンを水中に序々に溶解させることによって便器内周壁の清浄を行うことができた。且つ、上記ナトリウムイオン、又はカリウムイオンあるいはカルシウムイオンが水と反応して水酸化ナトリウム、又は水酸化カリウムあるいは、水酸化カルシウムになり、これはスケール成分のけい素を溶解するので、便器内周壁でのスケールや水アカの発生を事前に防止すると同時に、既に付着しているスケールや水アカを軟化・剥離させた。そして、けい素を含むけい酸により水溶性アモルファスの形にしてあるので、即ち無機成分により非結晶体のかたちにしてあるので、水の温度に左右されることなく安定して上記スケール，水アカの発生防止，軟化・剥離された。
【００２７】
上記に示した他に、上記ホウ素（Ｂ）成分を含まない水溶性非結晶体の洗浄剤は、けい素（Ｓｉ）成分が１２〜６０％，ナトリウム（Ｎａ）成分が６〜５０％，銀（Ａｇ）成分が０．３〜１．８％より成るものとすることができ、又上記ホウ素（Ｂ）成分を含まない水溶性非結晶体の洗浄剤は、けい素（Ｓｉ）成分が１２〜６０％，カルシウム（Ｃａ）成分が６〜５０％，銀（Ａｇ）成分が０．３〜１．８％より成ることとすることもでき、更に上記ホウ素（Ｂ）成分を含まない水溶性非結晶体の清浄剤は、けい素（Ｓｉ）成分が１２〜６０％，カリウム（Ｋ）成分が６〜５０％，銀（Ａｇ）成分が０．３〜１．８％より成ることとすることもできる。
【図面の簡単な説明】
【００２８】
【図１】本考案の清浄剤入り容器の一例を示す断面を含む斜視図である。
【図２】本考案の清浄剤入り容器の他例を示す側面図である。
【図３】本考案の清浄される便器の一例を示す一部断面を含む側面図である。
【図４】本考案の清浄される便器の他例を示す一部断面を含む図である。
【図５】本考案の清浄される便器の更にもう一つの例を示す一部断面を含む図である。